(57)【要約】      （修正有）【課題】暑さ寒さ対策時の温度調節が可能で、小物入れとしても便利で、製法及び外観をシンプルにしたタオル、マフラー、マフラータイプのタオル、又は手ぬぐいを提供する。【解決手段】タオル、マフラー、マフラータイプのタオル又は手ぬぐいの布幅に応じて布全体を二つ折り又は、三つ折りにし、計五箇所に、ポケットとなる部分を縫合し設ける。【選択図】図２
0003157297.tif 000002
【実用新案登録請求の範囲】
【請求項１】
ポケットとなる部分を、両サイドを含め計五箇所に、タオルやマフラー及び、マフラータイプのタオルや手ぬぐいの、布幅に応じて布全体を二つ折り又は三つ折りにし、縫合することのよって、両サイドのポケットの入口開口部が、横から中へ入れる方法になることにより、ポケットの中に入れたものを、こぼれ難くし、製法も簡素なため製造コストを抑えることができ、外観もシンプルで、素材本来のデザイン性及び、持ち味を生かしつつ、さらに機能性を高め充実させた五箇所にサイドポケットのある、タオルやマフラー及び、マフラータイプのタオルや手ぬぐい。
【考案の詳細な説明】
【技術分野】
【０００１】
本考案は、タオルやマフラー及び、マフラータイプのタオルや手ぬぐいを、布幅に応じて布全体を二つ折り又は、三つ折りにし、両サイドを含め計五箇所に、ポケットとなる部分を縫合し設けたことによって、保冷剤や携帯カイロの、数量調節により、熱さや冷たさの温度調節を可能にした。
【０００２】
また、五箇所にポケットを設けたことによって、保冷剤や携帯カイロを使用しながらでも、両サイドのポケットに、保冷剤や携帯カイロの他にも、携帯電話や、デジタルカメラ及び、小銭入れ等の、小物入れとして使用することができ、浴衣姿（入院時等）や、作業時等、多種多様に活用出来るようにした。
【０００３】
また、製造方法として、タオルやマフラー及びマフラータイプのタオルや手ぬぐいを、布幅に応じて布全体を二つ折り又は三つ折りにし、両サイドを含め計五箇所に、ポケットとなる部分を縫合することによって、両サイドのポケットの中に入れたものもこぼれ難くし、製法も簡素なため、製造コストを抑えることができ、外観もシンプルで、素材本来のデザイン性及び、持ち味を生かしつつ、さらに機能性を高め充実させた。
【背景技術】
【０００４】
従来のタオルやマフラーには、タオルの中央部に、ポケットがあるもの（例えば、特許文献１参照。）や、マフラーの首周りになる部分に、ポケットがあり（例えば、特許文献２参照。）、その部分に保冷剤や、携帯カイロを入れたりするものがある（例えば、特許文献１及び２参照。）。
【０００５】
また、タオルの両端にポケットがあるもの（例えば、特許文献３参照。）がある。
【先行技術文献】
【特許文献】
【０００６】
【特許文献１】登録実用新案第１１７４３９号公報
【特許文献２】登録実用新案第３１１５９６４号公報
【特許文献３】特開２００４−２０９１２１号公報
【考案の概要】
【考案が解決しようとする課題】
【０００７】
従来のタオルやマフラーには、タオルの中央部や、マフラーの首周りのみや、タオルの両端のみに、ポケットがあった。しかし五箇所（全体的）にポケットのあるものは無く、そのため、ポケットの中にカイロや、保冷剤を入れて使用した際に、数量の調節による、温度調節が出来ず、熱過ぎたり冷た過ぎたりすることがあった。
【０００８】
また、ポケットの入口に面係着テープが付いているものもあり、洗濯すると、布の痛みの原因となった。
【０００９】
また、製法として、面係着テープ等を付けたり、ポケット部分を、タオルに後付けで、縫い合わせするなど、製造過程が多く、製造コストがかかった。
【課題を解決するための手段】
【００１０】
ポケットとなる部分を、両サイドを含め計五箇所に、タオルやマフラー及び、マフラータイプのタオルや手ぬぐいの、布幅に応じて布全体を二つ折り又は三つ折りにし、縫合することのよって、両サイドのポケットの入口開口部が、横から中へ入れる方法になることにより、ポケットの中に入れたものを、こぼれ難くし、製法も簡素なため製造コストを抑えることができ、外観もシンプルで、素材本来のデザイン性及び、持ち味を生かしつつ、さらに機能性を高め充実させた五箇所にサイドポケットのある、タオルやマフラー及び、マフラータイプのタオルや手ぬぐい。
【考案の効果】
【００１１】
本考案は、タオルやマフラー及び、マフラータイプのタオルや手ぬぐいを、布幅に応じて布全体を二つ折り又は、三つ折りにし、両サイドを含め計五箇所に、ポケットとなる部分を縫合し設けたことによって、保冷剤や携帯カイロの、入れる数量の調節が出来き、熱さや冷たさの温度調節を可能にした。
【００１２】
また、五箇所にポケットを設けたことによって、保冷剤や携帯カイロを使用しながらでも、両サイドのポケットを、保冷剤や携帯カイロの他に、携帯電話やデジタルカメラ及び、小銭入れ等の、小物入れとして使用することができることにより、浴衣姿（入院時等）や、作業時など、多種多様に活用出来るようにした。      
【００１３】
さらに製造方法として、タオルやマフラー及びマフラータイプのタオルや手ぬぐいを、布幅に応じて布全体を二つ折り又は三つ折りにし、両サイドを含め計五箇所にポケットとなる部分を、縫合することのよって、両サイドのポケットの入口開口部が、横から中へ入れる方法になることにより、中の物の重みによって、折り重なった、布同士が蓋の役目をするためこぼれ難い。
【００１４】
製法も簡素なため、製造コストを抑えることができ、外観もシンプルで、素材本来の、デザイン性及び、持ち味を生かしつつ、さらに機能性を高め充実させた。
【図面の簡単な説明】
【００１５】
【図１】タオルやマフラー及びマフラータイプのタオルや手ぬぐい１、を布幅に応じて布全体を二つ折りにする時の、斜視図である。
【図２】タオルやマフラー及びマフラータイプのタオルや手ぬぐい１、を二つ折りにした時に、ポケット２、を、点線に沿って縫合３、し設けた平面図である。
【考案を実施するための形態】
【００１６】
タオルやマフラー及び、マフラータイプのタオルや手ぬぐいを、布幅に応じて布全体を二つ折り図１、図２、又は、三つ折りにし、縫合３、部分を、点線に沿って縫い合わせ、五箇所にポケット２、を設ける。
【００１７】
以下、本考案の実施の形態を図に基づいて説明する。
【実施例１】
【００１８】
図２は、タオルやマフラー及び、マフラータイプのタオルや手ぬぐい１を、布幅に応じて布全体を二つ折りにした時に、ポケット２、を、点線に沿って縫合３、し設けた平面図で、ポケット入口開口部５、が、横から中へ入れる方法になることにより、両サイドのポケットの中に物を入れたとき、中の物の重みによって、折り重なった、布同士が蓋の役目をするためこぼれ難く、外観もシンプルで、素材本来のデザイン性及び、持ち味を生かしつつ、さらに機能性を高め充実した、五箇所にサイドポケットのある、タオルやマフラー及び、マフラータイプのタオルや手ぬぐいである。
【産業上の利用可能性】
【００１９】
本考案は、タオルやマフラー及び、マフラータイプのタオルや手ぬぐいを、布幅に応じて布全体を二つ折り又は三つ折りにし、ポケットになるように、縫い合わせるだけである。
【００２０】
ポケット入口開口部５、が、横から中へ入れる方法になることにより、両サイドのポケットの中に物を入れたとき、中の物の重みによって、折り重なった、布同士が蓋の役目をするので、面係着テープ等を、取り付ける必要もなく、製法も簡素なため、製造コストを抑えることができる。
【符号の説明】
【００２１】
１  タオルやマフラー及び、マフラータイプのタオルや手ぬぐい
２  ポケット
３  縫合
４  二つに折った部分
５  ポケット入口開口部
【図１】
0003157297.tif 000003
【図２】
0003157297.tif 000004
【手続補正書】
【提出日】平成21年11月18日(2009.11.18)
【手続補正１】
【補正対象書類名】実用新案登録請求の範囲
【補正対象項目名】全文
【補正方法】変更
【補正の内容】
【実用新案登録請求の範囲】
【請求項１】
ポケットとなる部分を、両サイドを含め計五箇所に、タオル、マフラー、マフラータイプのタオル、又は手ぬぐいの、布幅に応じて布全体を二つ折り又は三つ折りにし、縫合す
ることのよって、両サイドのポケットの入口開口部が、横から中へ入れる方法になること
により、ポケットの中に入れたものを、こぼれ難くし、製法も簡素なため製造コストを抑
えることができ、外観もシンプルで、素材本来のデザイン性及び、持ち味を生かしつつ、
さらに機能性を高め充実させた五箇所にサイドポケットのある、タオル、マフラー、マフラータイプのタオル、又は手ぬぐい。
【手続補正２】
【補正対象書類名】明細書
【補正対象項目名】全文
【補正方法】変更
【補正の内容】
【考案の詳細な説明】
【技術分野】
【０００１】
本考案は、タオル、マフラー、マフラータイプのタオル、又は手ぬぐいを、布幅に応じ
て布全体を二つ折り又は、三つ折りにし、両サイドを含め計五箇所に、ポケットとなる部
分を縫合し設けたことによって、保冷剤や携帯カイロの、数量調節により、熱さや冷たさ
の温度調節を可能にした。
【０００２】
また、五箇所にポケットを設けたことによって、保冷剤や携帯カイロを使用しながらで
も、両サイドのポケットに、保冷剤や携帯カイロの他にも、携帯電話や、デジタルカメラ及び、小銭入れ等の、小物入れとして使用することができ、浴衣姿（入院時等）や、作業時等、多種多様に活用出来るようにした。
【０００３】
また、製造方法として、タオル、マフラー、マフラータイプのタオル、又は手ぬぐいを、布幅に応じて布全体を二つ折り又は三つ折りにし、両サイドを含め計五箇所に、ポケットとなる部分を縫合することによって、両サイドのポケットの中に入れたものもこぼれ難くし、製法も簡素なため、製造コストを抑えることができ、外観もシンプルで、素材本来のデザイン性及び、持ち味を生かしつつ、さらに機能性を高め充実させた。
【背景技術】
【０００４】
従来のタオル、マフラーには、タオルの中央部に、ポケットがあるもの（例えば、特許
文献１参照。）や、マフラーの首周りになる部分に、ポケットがあり（例えば、特許文献
２参照。）、その部分に保冷剤や、携帯カイロを入れたりするものがある（例えば、特許文献１及び２参照。）。
【０００５】
また、タオルの両端にポケットがあるもの（例えば、特許文献３参照。）がある。
【先行技術文献】
【特許文献】
【０００６】
【特許文献１】登録実用新案第１１７４３９号公報
【特許文献２】登録実用新案第３１１５９６４号公報
【特許文献３】特開２００４−２０９１２１号公報
【考案の概要】
【考案が解決しようとする課題】
【０００７】
従来のタオルやマフラーには、タオルの中央部や、マフラーの首周りのみや、タオルの
両端のみに、ポケットがあった。しかし五箇所（全体的）にポケットのあるものは無く、
そのため、ポケットの中にカイロや、は保冷剤を入れて使用した際に、数量の調節による、温度調節が出来ず、熱過ぎたり冷た過ぎたりすることがあった。
【０００８】
また、ポケットの入口に面係着テープが付いているものもあり、洗濯すると、布の痛み
の原因となった。
【０００９】
また、製法として、面係着テープ等を付けたり、ポケット部分を、タオルに後付けで、
縫い合わせするなど、製造過程が多く、製造コストがかかった。
【課題を解決するための手段】
【００１０】
ポケットとなる部分を、両サイドを含め計五箇所に、タオル、マフラー、マフラータイプのタオル、又は手ぬぐいの、布幅に応じて布全体を二つ折り又は三つ折りにし、縫合す
ることのよって、両サイドのポケットの入口開口部が、横から中へ入れる方法になること
により、ポケットの中に入れたものを、こぼれ難くし、製法も簡素なため製造コストを抑
えることができ、外観もシンプルで、素材本来のデザイン性及び、持ち味を生かしつつ、
さらに機能性を高め充実させた五箇所にサイドポケットのある、タオル、マフラー、マフラータイプのタオル、又は手ぬぐい。
【考案の効果】
【００１１】
本考案は、タオル、マフラー、マフラータイプのタオル、又は手ぬぐいを、布幅に応じ
て布全体を二つ折り又は、三つ折りにし、両サイドを含め計五箇所に、ポケットとなる部
分を縫合し設けたことによって、保冷剤や携帯カイロの、入れる数量の調節が出来き、熱
さや冷たさの温度調節を可能にした。
【００１２】
また、五箇所にポケットを設けたことによって、保冷剤や携帯カイロを使用しながらでも、両サイドのポケットを、保冷剤や携帯カイロの他に、携帯電話やデジタルカメラ及び、小銭入れ等の、小物入れとして使用することができることにより、浴衣姿（入院時等）や、作業時など、多種多様に活用出来るようにした。      
【００１３】
さらに製造方法として、タオル、マフラー、マフラータイプのタオル、又は手ぬぐいを、布幅に応じて布全体を二つ折り又は三つ折りにし、両サイドを含め計五箇所にポケットとなる部分を、縫合することのよって、両サイドのポケットの入口開口部が、横から中へ入れる方法になることにより、中の物の重みによって、折り重なった、布同士が蓋の役目をするためこぼれ難い。
【００１４】
製法も簡素なため、製造コストを抑えることができ、外観もシンプルで、素材本来の、
デザイン性及び、持ち味を生かしつつ、さらに機能性を高め充実させた。
【図面の簡単な説明】
【００１５】
【図１】タオル、マフラー、マフラータイプのタオル、又は手ぬぐい１、を布幅に応じて布全体を二つ折りにする時の、斜視図である。
【図２】タオル、マフラー、マフラータイプのタオル、又は手ぬぐい１、を二つ折りにした時に、ポケット２、を、点線に沿って縫合３、し設けた平面図である。
【考案を実施するための形態】
【００１６】
タオル、マフラー、マフラータイプのタオル、又は手ぬぐいを、布幅に応じて布全体を
二つ折り図１、図２、又は、三つ折りにし、縫合３、部分を、点線に沿って縫い合わせ、五箇所にポケット２、を設ける。
【００１７】
以下、本考案の実施の形態を図に基づいて説明する。
【実施例１】
【００１８】
図２は、タオル、マフラー、マフラータイプのタオル、又は手ぬぐい１を、布幅に応じ
て布全体を二つ折りにした時に、ポケット２、を、点線に沿って縫合３、し設けた平面図で、ポケット入口開口部５、が、横から中へ入れる方法になることにより、両サイドのポケットの中に物を入れたとき、中の物の重みによって、折り重なった、布同士が蓋の役目をするためこぼれ難く、外観もシンプルで、素材本来のデザイン性及び、持ち味を生かしつつ、さらに機能性を高め充実した、五箇所にサイドポケットのある、タオル、マフラー、マフラータイプのタオル、又は手ぬぐいである。
【産業上の利用可能性】
【００１９】
本考案は、タオル、マフラー、マフラータイプのタオル、又は手ぬぐいを、布幅に応じ
て布全体を二つ折り又は三つ折りにし、ポケットになるように、縫い合わせるだけである。
【００２０】
ポケット入口開口部５、が、横から中へ入れる方法になることにより、両サイドのポケ
ットの中に物を入れたとき、中の物の重みによって、折り重なった、布同士が蓋の役目を
するので、面係着テープ等を、取り付ける必要もなく、製法も簡素なため、製造コストを
抑えることができる。
【符号の説明】
【００２１】
１  タオル、マフラー、マフラータイプのタオル、又は手ぬぐい
２  ポケット
３  縫合
４  二つに折った部分
５  ポケット入口開口部
【手続補正３】
【補正対象書類名】図面
【補正対象項目名】全図
【補正方法】変更
【補正の内容】
【図１】
0003157297.tif 000005
【図２】
0003157297.tif 000006